(57)【要約】【課題】身体の部分を移動させることなく身体に対して着脱の容易な衣服を提供する。【解決手段】衣服１０は、一枚の布２０からなる。布２０から左袖１６を袖１６の延びる方向に延ばして、左袖１６の下部をフロント部１３に平行に折りたたむことによって左前身頃１２が形成できる。同様に、右前身頃１１も形成できる。一枚の布２０上に頭部を上にして身体を横たえ、上記のように左右の袖１５、１６、フロント部１３および股繰り部を載せて隣接する箇所に設けられたスナップを留めることによって身体を包む衣服が形成できる。【選択図】        図５
2005048301.tif 000002
【特許請求の範囲】
【請求項１】
腕通し部と胴包み部とが着脱可能な留め具で留められることによって筒状に形成されており、
前記留め具を外すと前記腕通し部および胴包み部を含めて全体が展開状態となる衣服。
【請求項２】
前記腕通し部には袖部が設けられ、前記袖部は着脱可能な留め具で留められることによって筒状に形成される、請求項１に記載の衣服。
【請求項３】
前記胴包み部は前身頃と背面部とを含む、請求項１または２に記載の衣服。
【請求項４】
前記腕通し部は、前記背面部に連続して設けられる、請求項３に記載の衣服。
【請求項５】
前記腕通し部は、前記前身頃につながる第１の部分と前記背面部につながる第２部分とから成る請求項３に記載の衣服。
【発明の詳細な説明】
【０００１】
【発明の属する技術分野】
この発明は衣服に関し、特に、身体の部分を移動させる必要なしに身体に対して着脱可能な衣服に関する。
【０００２】
【従来の技術】
身体に対して着脱の容易な衣服が、たとえば下記特許文献１に開示されている。図１８は、特許文献１に開示されたそのような衣服を示す図である。図１８を参照して、従来の着脱の容易な衣服は、胴部１０１と、この胴部１０１からそれぞれ左右に分枝して延びて形成された分枝部１０２とから構成されている。胴部１０１および分枝部１０２とも前側布材１１１と背側布材１１２とが側端縁に沿って形成された結合部１１３で結合するよう構成されている。
【０００３】
特許文献１には、図１８以外の実施の形態として、胴部１０１については、結合部を設けることなく縫い合わせた例も示されている。
【０００４】
【特許文献１】
実開平６−８５３１８号公報（図１、図２およびそれに関連する記載）
【０００５】
【発明が解決しようとする課題】
従来の着脱容易な衣服は上記のように構成されていた。前側の布と背側の布の２枚の布で構成されていたため、着脱は容易であるが、２枚の布がバラバラになり、保管する上で問題があった。
【０００６】
また、胴部１０１が縫い合わされた例では、布がバラバラになることはないが、身体を少なくとも胴部１０１に通さないと着ることができないため、たとえば乳幼児を寝かせたままで衣服を着せることができないという問題があった。
【０００７】
この発明は、上記のような問題点に鑑みてなされたもので、身体の部分を移動させることなく身体に対して着脱の容易な衣服を提供することを目的とする。
【０００８】
【課題を解決するための手段】
この発明に係る衣服は、腕通し部と胴包み部とが着脱可能な留め具で留められることによって筒状に形成されており、留め具を外すと腕通し部および胴包み部を含めて全体が展開状態となる。
【０００９】
留め具を外すと、腕通し部および胴包み部を含めて全体が展開状態となるため、展開した状態の上に身体を載せて留め具を留めるだけで身体に衣服を着せることができる。したがって、衣服を着せるために、腕や足を移動させる必要がない。
【００１０】
その結果、身体の部分を移動させることなく身体に対して着脱の容易な衣服を提供できる。
【００１１】
好ましくは、腕通し部には袖部が設けられ、袖部は着脱可能な留め具で留められることによって筒状に形成される。
【００１２】
さらに好ましくは、胴包み部は前身頃と背面部とを含む。
腕通し部は、背面部のみに連続して設けられてもよいし、前身頃につながる第１の部分と前記背面部につながる第２部分とから構成されてもよい。
【００１３】
【発明の実施の形態】
以下、この発明の一実施の形態を、図面を参照して説明する。図１はこの発明の一実施の形態を示す衣服を、乳幼児用の衣服として適用した場合の使用状態における正面図である。
【００１４】
図１を参照して、乳幼児用衣服１０は、使用状態においては、右前身頃１１と、左前身頃１２と、両前身頃１１，１２が重なったフロント部１３と、右袖１５と、左袖１６と、股繰り部１８とを含む。
【００１５】
右前身頃１１のフロント部の裏部と左前身頃１２に連続したフロント部１３とは、着脱自在な留め具、たとえば、スナップ２１、２２で留められ、それによって、左右の前身頃１１，１２が結合されている。
【００１６】
左右の袖１５、１６も袖１５，１６の上端部に設けられた上部スナップ２３、２４で留められている。股繰り部１８も股繰り部スナップ２５、２６で留められている。左右の前身頃１１，１２と左右の袖１５，１６との間は縫製され、そのために、左右袖口に縫い目３３，３４が形成される。縫い目３３，３４は、着衣時に腕を通すための腕通し部を形成している。
【００１７】
図２は、図１に示した乳幼児用衣服１０の背面図である。図２を参照して、乳幼児用衣服１０の背面は左右の前身頃１１，１２に連続した背面部２８と左右の袖１５、１６の背面とからなる。
【００１８】
図３は、図１に示した乳幼児用衣服１０を相互に結合するフロント部スナップ２１、２２と、左右袖１５、１６で相互に係合する上部スナップ２３、２４と、股繰り部１８で相互に係合する、股繰り部スナップ２５、２６とを外して、展開し、それを反転した背面を示す図である。
【００１９】
図３を参照して、乳幼児用衣服１０の背面は、中央部に背面部２８が設けられ、背面部２８に連続して、向かって右側に右前身頃１１が、左側に左前身頃１２が設けられた、一枚の布２０として展開される。右前身頃１１の右側端部には、フロント部１３の裏に重なるフロント裏部１４が設けられる。フロント裏部１４は右フロント部縫い目３１ａおよび３１ｂで挟まれており、その間に縦方向に６つのフロント部スナップ２２が設けられる。
【００２０】
これに対向する、向かって左側の端部には、フロント部１３が設けられる。フロント部１３は左フロント部縫い目３２ａおよび３２ｂで挟まれており、その間に縦方向にフロント部スナップ２２と係合する６つのフロント部スナップ２１が裏側に設けられる。
【００２１】
ところで、縫製によって２面を縫うと、一方の面には粗い縫い目が生成され、他方の面には滑らかな縫い目が生成される。ここでいう縫い目とは、このうちの粗い縫い目をいうものとする。また、図３と図４においてのみ、説明のために、粗い縫い目は実線で示し、滑らかな縫い目は点線で示す。
【００２２】
布２０の上端部には上部縫い目３５が設けられ、上部縫い目３５に沿って上部スナップ２３、２４が設けられている。
【００２３】
布２０の下端部には、下部縫い目３６が設けられ、下部縫い目３６に沿って股繰り部スナップ２５、２６が設けられている。
【００２４】
図４は図３を反転させた布２０の表面を示す図である。図４を参照して、布２０の表面は乳幼児が直接ふれる部分であるため、そこには上記した縫い目３１〜３６は設けられていない。この状態では、図の左側が右前身頃１１の裏面であり、右側が左前身頃１２の裏面であり、中央部に背当て部となる背面部２８が位置する。
【００２５】
図１〜図４から分るように、左右前身頃１１，１２と背面部２８とをそれぞれフロント部１３と、フロント裏部１４に設けられた着脱可能な留め具によって留めることにより、胴を包むための胴包み部が構成される。
【００２６】
図５は、図４のように展開された布２０の左前身頃１２部分を、左袖１６となる部分の直下で、手前側（図５において右側から左側へ）に折りたたんだ状態を示す図である。図５を参照して、左袖１６が形成され、フロント部１３が正面に位置する。左前身頃１２の下部の股繰り部スナップ２５が、背面部２８の下方に設けられた股繰り部スナップ２６に係合可能な位置に位置する。
【００２７】
次に左袖１６の形成について説明する。図６は、図４から図５へ至る過程における左袖１６部分の詳細を示す図である。図６に示すように、左前身頃１２を手前側に折りたたんだ状態で左袖１６を形成するときは、まず左袖１６を構成する背面部２８に連続した左袖後布１６ｂと左前身頃１２に連続した左袖前布１６ａとを対向させる。この状態で左袖後布１６ｂの裏面側に設けられた上部スナップ２４と、左袖前布１６ａの裏面に設けられた上部スナップ２３とを留める。これによって、筒状の左袖１６が形成される。なお、右袖１５についても同様に形成される。
【００２８】
以上のように、この実施の形態においては、展開された一枚の布２０の背面部２８のほぼ中央部に乳幼児を寝かせ、その身体上に左右の前身頃１１、１２を構成する部分を左右方向から載せて、フロント部１４の相互に係合にするのスナップを順に止めるだけで、乳幼児の胴部を筒状の胴包み部が完成する。
【００２９】
また、背面部２８に連続した左有の袖後布１５ｂ、１６ｂと左右前身頃１１，１２に連続した前布１５ａ、１６ａとをスナップで留めることによって、筒状の左袖１６が形成される。
【００３０】
その結果、乳幼児に服を着せるときに、乳幼児の腕や足を袖口や股繰り部に通す必要が無い。
【００３１】
また、布２０を乳幼児の身体に載せるときの折りたたみ方向は、右側端部から左側へ、また、左側端部から右側へ、というように一方向だけである。その結果、衣服の着脱が容易である。
【００３２】
なお、上記実施の形態では、袖を形成する前布と後布とがそれぞれ別々に後布が背面部２８に連続し、袖前布１６ａが前身頃に連続した例について説明した。これに限らず、袖を構成する前後の布をともに背面部２８に連続させてもよい。
【００３３】
そのような変形例における、図４に対応する模式図を図７に示す。なお、ここでは留め具は省略している。図７を参照して、この実施の形態では、左右の袖１５、１６を形成する後布１５ｂ、１６ｂのみが背面部２８に接続され、前布１５ａ、１６ａは後布１５ａ、１６ａのみに接続されている。
【００３４】
また、図７では、背面部２８の下部でその左右に前身頃１１，１２が連続して形成されているが、これに限らず、たとえば、左前身頃１２に連続して右前身頃１１が形成され、右前身頃１１と背面部２８とをスナップで留めるようにしてもよい。
【００３５】
次に、この発明の他の実施の形態について説明する。図８は、他の実施の形態に係る乳幼児用衣服５０を示す正面図であり、先の実施の形態の図１に対応する。図８を参照して、この実施の形態においては、乳幼児用衣服５０は、先の実施の形態に対してよだれかけ５１が追加され、股繰り部１８に連続して裾部１９が設けられている。それ以外の部分については、先の実施の形態と同様である。
【００３６】
図９は、図８の状態からよだれかけ５１を外した場合の図である。よだれかけ５１の一方端部は右肩部４２に直接接続され、他方端部には複数のループ５２が設けられている。左肩部４１には複数のボタン５３が設けられ、複数のループ５２が複数のボタン５３に係合するようになっている。
【００３７】
図１０は、図９の状態からさらに左袖１６を展開した状態を示す図である。左袖１６を展開するのは、先の実施の形態と同様に、左袖後布１６ｂの裏面側に設けられた上部スナップ２４と、左袖前布１６ａの裏面に設けられたスナップ２３とを外せばよい。
【００３８】
図１１はフロント部１３、右袖１５、股繰り部１８等の全てを外して乳幼児用衣服５０を展開した状態を示す図である。展開すると、乳幼児用衣服５０は一枚の布５５となる。この状態で乳幼児を中央部に寝かせ、その身体の上に順次左右の前身頃１１，１２を載せて、上記と逆の手順で、相互に係合するスナップを留めていけば、乳幼児を包む衣服が完成するのは、先の実施の形態と同様である。
【００３９】
この実施の形態では、よだれかけ付きの衣服を一枚の布で構成できる。
次に、この発明のさらに他の実施の形態について説明する。図１２はこの発明のさらに他の実施の形態にかかる乳幼児用衣服６０を示す正面図である。図１２を参照して、この実施の形態に係る乳幼児用衣服６０には、左右の前身頃１１、１２を覆う、先の実施の形態よりも大きなよだれかけ６１が設けられている。
【００４０】
図１３は図１２からよだれかけ６１を外した状態を示す図である。この実施の形態では、左右の前身頃１１，１２の形状が先の実施の形態と一部異なっている。
【００４１】
図１４は、フロント部１３、左右袖１５，１６を外して乳幼児用衣服６０を全展開した状態を示す図である。図１４を参照して、乳幼児用衣服６０は展開すると一枚の布６４となる。図１４を参照して、展開した一枚の布６４には、乳幼児の足を通す穴６３ａ、６３ｂと、裾部１９を構成するための穴６５が設けられている。
【００４２】
この衣服６０を乳幼児に着せるときは、まず乳幼児を布６４の穴６５の上部中央に寝かせる。そして乳幼児の両足を穴６３ａ、６３ｂに通す。そして、左右の前身頃１１，１２を乳幼児の身体にそれぞれ重ね、左右の袖１５，１６および股繰り部１８とともに、相互に係合するスナップを留める。その後、よだれかけ６１を乳幼児の身体の上にかぶせて、よだれかけ用スナップ６６ａ、６６ｂを左右の肩の近くに設けられている図示の無い係合するスナップと係合させる。
【００４３】
この実施の形態においては、乳幼児の左右前身頃１１，１２を覆う大きなよだれかけ６１をも含めて一枚の布で、乳幼児用衣服を構成できる。
【００４４】
次に、この発明のさらに他の実施の形態について説明する。図１５はこの発明のさらに他の実施の形態にかかる乳幼児用衣服７０を示す正面図である。図１５を参照して、この実施の形態に係る乳幼児用衣服７０は、先の実施の形態と異なり、上着部分だけであり、股繰り部が存在しない。それ以外の部分は最初の実施の形態と同じである。
【００４５】
図１６は、この実施の形態における左前身頃１２および左袖１６のスナップを外した状態を示す図であり、図１７は全てのスナップを外して展開した状態を示す図である。
【００４６】
図１７を参照して、この実施の形態における乳幼児用衣服７０を展開すると、一枚の布７１となる。この場合、先の実施の形態と異なり、左右の袖１５，１６は布７１の両側部に設けられる。
【００４７】
上記実施の形態においては、この発明を乳幼児用衣服に適用した場合について説明したが、これに限らず、大人用の衣服にも適用してもよい。
【００４８】
上記実施の形態の形態においては、フロント部、腕通し部、袖部、股繰り部の隣接部分の接合のための着脱可能な留め具として、スナップを用いた例について説明したが、これに限らず、ボタン、その他の任意の留め具を用いてもよい。
【００４９】
上記実施の形態では、袖部を設けた例について説明したが、これに限らず、腕通し部のみを設けて、袖部を設けないようにしてもよい。
【００５０】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【図面の簡単な説明】
【図１】この発明の第１実施の形態に係る乳幼児用衣服の正面図である。
【図２】第１実施の形態に係る乳幼児用衣服の背面図である。
【図３】第１実施の形態に係る乳幼児用衣服の全展開図（背面図）である。
【図４】第１実施の形態に係る乳幼児用衣服の全展開図（表面図）である。
【図５】左前身頃をたたんだ状態を示す図である。
【図６】左袖部分の拡大図である。
【図７】第１実施の形態に係る乳幼児用衣服の変形例を示す展開模式図である。
【図８】この発明の第２実施の形態にかかる乳幼児用衣服を示す正面図である。
【図９】第２実施の形態の乳幼児用衣服のよだれかけを外した状態を示す図である。
【図１０】第２実施の乳幼児用衣服の左袖部を外した状態を示す図である。
【図１１】第２実施の形態に係る乳幼児用衣服の全展開図（正面図）である。
【図１２】第３実施の形態にかかる乳幼児用衣服を示す正面図である。
【図１３】第３実施の形態にかかる乳幼児用衣服のよだれかけを外した状態を示す正面図である。
【図１４】第３実施の形態にかかる乳幼児用衣服の全展開図である。
【図１５】第４実施の形態にかかる乳幼児用衣服を示す正面図である。
【図１６】第４実施の形態にかかる乳幼児用衣服の左前身頃を展開した状態を示す図である。
【図１７】第４実施の形態にかかる乳幼児用衣服の全展開図である。
【図１８】従来の着脱容易な衣服の正面図である。
【符号の説明】
１０、５０、６０、７０  乳幼児用衣服、１１  右前身頃、１２  左前身頃、１３  フロント部、１５  右袖、１６  左袖、１８  股繰り部、１９  裾部、２０、５５，６４，７１  布、２１、２２  フロント部スナップ、２３，２４  上部スナップ、２５、２６  股繰り部スナップ、２８  背面部。
【図１】
2005048301.tif 000003
【図２】
2005048301.tif 000004
【図３】
2005048301.tif 000005
【図４】
2005048301.tif 000006
【図５】
2005048301.tif 000007
【図６】
2005048301.tif 000008
【図７】
2005048301.tif 000009
【図８】
2005048301.tif 000010
【図９】
2005048301.tif 000011
【図１０】
2005048301.tif 000012
【図１１】
2005048301.tif 000013
【図１２】
2005048301.tif 000014
【図１３】
2005048301.tif 000015
【図１４】
2005048301.tif 000016
【図１５】
2005048301.tif 000017
【図１６】
2005048301.tif 000018
【図１７】
2005048301.tif 000019
【図１８】
2005048301.tif 000020